(57)【要約】      （修正有）【課題】マスク装着時に違和感がなく、且つ、花粉等の微粉末体が鼻や口周辺から侵入することを効率よく防ぐことができるマスク装着具を提供する。【解決手段】マスク装着具１は、本体部１１と耳紐部１２とで構成されるマスク１０に装着されるもので、大径開口部３と小径開口部４とを有する筒状本体２と、筒状本体の一部に設置された保形具６とを備える。大径開口部及び小径開口部には、周縁に外方向へ湾曲する係止部７が形成されるとともに、小径開口部には網状体が装着される。【選択図】図１
0003201287.tif 000002
【実用新案登録請求の範囲】
【請求項１】
本体部と耳紐部とで構成されるマスクに装着されるマスク装着具であって、該マスク装着具は、大径開口部と小径開口部とを有する筒状本体と、該筒状本体の一部に設置された保形具とを備えることを特徴とするマスク装着具。
【請求項２】
前記大径開口部は鼻と口の周辺に配置され、前記小径開口部は本体部の内面に配置される請求項１記載のマスク装着具。
【請求項３】
前記小径開口部に網状体を形成した請求項１または２記載のマスク装着具。
【請求項４】
前記大径開口部及び小径開口部の周縁には、外方向へ湾曲する係止部が形成されている請求項１乃至３のうちいずれか１項に記載のマスク装着具。
【考案の詳細な説明】
【技術分野】
【０００１】  本考案は、本体部と耳紐部とで構成されるマスクに装着されるマスク装着具であって、特に、マスク装着時に、花粉等の微粉体の侵入を極力軽減することができるマスク装着具に関する。
【背景技術】
【０００２】  鼻と口周辺に装着することにより、空気中の粉体を体内に侵入することを軽減するマスクがある。一般的なマスクは、外科手術用に使用される医療用マスク、主に工場で使われる産業用マスク、一般生活で汎用される家庭用マスク等がある。【０００３】  また前記マスクの形状としては、一般的なガーゼを用いたい平型マスク、前面がプリーツ状になっているプリーツ型マスク、人間の顔の形に合わせた立体型マスク等が汎用されている。【０００４】  また、上記のマスクに関する先行技術として、呼吸が楽にでき、装着感も普通のマスクに順じ、日常生活で使用に耐え得る抗ウィルス、抗花粉症、抗化学物質の効果が得られるマスクがある（例えば特許文献１参照）。
上掲特許文献１のマスクは、着用者の両耳に掛けられる一対の支持紐体と、前記支持紐体に保持されて前記着用者の口唇に密着されるフィルターバッグとを備え、前記フィルターバッグの内部には、多数の粒状の多孔性物質が充填されていることを特徴とする。
【先行技術文献】
【特許文献】
【０００５】
【特許文献１】特開２０１３−６３２６６号公報
【考案の概要】
【考案が解決しようとする課題】  しかしながら特許文献１のマスクは、フィルターバッグ内に多数の粒状の多孔性物質が充填されていることにより全体重量が重くなる。また鼻と口が同時に密着されるため、使用中の違和感が生じるという問題が生じた。【０００６】  そこで本考案は上記の点に鑑み、マスク装着時に違和感がなく、且つ、花粉等の微粉末体が鼻や口周辺から侵入することを効率よく防ぐことができるマスク装着具を提供することにある。
【解決を解決するための手段】
【０００７】  上記課題を解決するために本考案のマスク装着具は、本体部と耳紐部とで構成されるマスクに装着されるマスク装着具であって、該マスク装着具は、大径開口部と小径開口部とを有する筒状本体と、該筒状本体の一部に設置された保形具とを備えることを特徴とする。
【０００８】  また前記大径開口部は鼻と口の周辺に配置され、前記小径開口部は本体部の内面に配置される。
【０００９】  また、前記小径開口部に網状体を形成した。
【００１０】  さらに、前記大径開口部及び小径開口部の周縁には、外方向へ湾曲する係止部が形成されている。
【考案の効果】
【００１１】  本考案のマスク装着具は、大径開口部と小径開口部とを有する筒状本体と、該筒状本体の一部に設置された保形具とを備えることにより、口と鼻周辺の凹凸に好適にフィットさせることができ、全体重量を軽減し、製造コストを大幅に削減することが可能となる。
【００１２】  また、前記小径開口部に網状体を形成したことで、使用時における小径開口部近傍のマスクの変形を防ぐことができる。
【００１３】  また大径開口部及び小径開口部の周縁に、外方向へ湾曲する係止部が形成されているため、口や鼻周辺の密着性をより一層向上させることができ、花粉等の微粉末体が鼻や口周辺から侵入することを効率よく防ぐ。
【図面の簡単な説明】
【００１４】
【図１】本考案のマスク装着具の使用状態の斜視図である。
【図２】大径開口部を上面に配置したマスク装着具の斜視図である。
【図３】小径開口部を上面に配置したマスク装着具の斜視図である。
【図４】大径開口部を上面に配置したマスク装着具の平面図である。
【図５】マスク装着具の断面図である。
【図６】使用状態の断面図である。
【考案を実施するための形態】
【００１５】  本考案のマスク装着具は、マスク装着時に違和感がなく、且つ、花粉等の微粉末体が鼻や口周辺から侵入することを効率よく防ぐことを特徴とするものである。
以下、本考案のマスク装着具の実施の形態を図面に基づいて説明する。
【００１６】  図示するマスク装着具１は、マスク１０を装着した際、マスク１０と鼻及び口との間に配置されるものである。前記マスク装着具１に使用されるマスクは、本体部１１と耳紐部１２とで構成されている。なお、前記マスクの種類や形状は特に限定されるものではないが、前面がプリーツ状になっているプリーツ型マスクや人間の顔の形に合わせた立体型マスク等が好適に使用される。
【００１７】  前記マスク装着具１は、大径開口部３と小径開口部４と、大径開口部３と小径開口部４とを連結する側壁５とからなる筒状本体２とで構成されている。また該筒状本体２はシリコンやエラストマ等のプラスチック樹脂にて一体的に成型されている。
【００１８】  また前記大径開口部３と小径開口部４は、図６に示すように、使用の際、前記大径開口部３には鼻や口が配置され、前記小径開口部４にはマスク１０の本体部１１の内面が配置される。
【００１９】  また前記マスク装着具１は、大径開口部３と小径開口部４とが側壁５にて連結され、全体が筒状を呈している。そのことにより、使用の際、鼻や口周辺の気密が保持されるとともに、小径開口部４がマスクの本体部１１の内面に配置されるため、鼻や口からの花粉等の粉体の侵入を未然に防ぐことができる。さらに鼻や口がマスクの本体部１１の内面に直接触れることがなく、息苦しさや不快感を得ることもない。
【００２０】  また特に、前記マスク装着具１の側壁５であって、大径開口部３の近傍には保形具６が装着されている。前記保形具６は、形状保持性に優れた棒状の金属で形成されており、大径開口部３の近傍に複数配置されている。そのことにより、大径開口部３に鼻と口を配置させ、指で保形具６の形状を調整することで、鼻周辺の凹凸に隙間を生じさせることがなく、外部からの花粉等の粉体の侵入を効率よく防ぐことができる。
【００２１】  また他の好適例として、前記小径開口部４に網状体９を形成した。網状体９を小径開口部４に設置することで、使用時における小径開口部４近傍のマスクの変形を防ぐとともに、小径開口部４から異物が侵入することを防止する。
【００２２】  また他の好適例として、前記大径開口部及３の周縁には、外方向へ湾曲する係止部７が、前記小径開口部及４の周縁には、外方向へ湾曲する係止部８がそれぞれ形成されている。
【００２３】  前記係止部７，８は、側壁５と一連に、且つ肉薄状に形成されている。また前記大径開口部３及び小径開口部４の周縁に、外方向へ湾曲する状態に形成されている。そのため、大径開口部３においては、係止部７が折曲して鼻や口周辺の凹凸に隙間を生じさせることなく密着し、また小径開口部４においては、係止部８が折曲してマスク１０の本体部１１との密着性を高めることができる。
【００２４】  次に、本考案のマスク装着具の使用方法の詳細を図１及び図６に基づいて説明する。
先ず、マスク１０の内面側にマスク装着具１を配置させる。この際、マスク装着具１の小径開口部４が本体部１１の内面になる状態とする。なお、この時に使用されるマスク１０は、形状を調整することができるプリーツ型マスクや人間の顔の形に合わせた立体型マスク等が好適に使用される。
【００２５】  次に、耳紐部１２を耳に掛け、大径開口部３に鼻と口を配置させてマスク１０を装着する。この際、保持具６を指で調節し、鼻周辺の凹凸に隙間を生じさせない状態に形状保持する。
【００２６】  この状態において、図６に示すように、鼻及び口の周辺は大径開口部３の係止部７にて密着状態に係止され、マスクの本体部１１の内面は小径開口部４の係止部８にて密着状態に係止される。そのため、鼻及び口周辺の凹凸に隙間を生じさせることがなく、外部からの花粉等の粉体の侵入を効率よく防ぐことができる。
【００２７】  またこの際、鼻及び口とマスクの本体部１１との間に空間が生じるため、鼻や口が本体部１１の内面に直接触れることがなく、息苦しさや不快感を得ることもない。また、会話をする際も違和感なく行うこともできる。
【００２８】  上述の如く、本考案のマスク装着具１は、大径開口部３と小径開口部４とを有する筒状本体２と、該筒状本体２の一部に設置された保形具６とを備えることにより、マスク装着時に違和感がなく、且つ、花粉等の微粉末体が鼻や口周辺から侵入することを効率よく防ぐことができる。
【符号の説明】
【００２９】１    マスク装着具
２    筒状本体
３    大径開口部
４    小径開口部
５    側壁
６    保形具
７    係止具
８    係止具
９    網状体
１０  マスク
１１  本体部
１２  耳紐部
【図１】
0003201287.tif 000003
【図２】
0003201287.tif 000004
【図３】
0003201287.tif 000005
【図４】
0003201287.tif 000006
【図５】
0003201287.tif 000007
【図６】
0003201287.tif 000008